(57)【要約】【課題】多様な形状の遊技機島に対応して取り付けることができる遊技球搬送装置、および遊技球搬送装置に用いられる可動連結器具を提供する。【解決手段】遊技球搬送装置１０は、並列した複数の遊技機から排出されて搬送された遊技球を回収する回収レール部２１と、この回収レール部２１の下流側に配置して遊技球を回収する回収本体部２４とを遊技機が並列した方向に連結して構成したホッパー装置２０を備えている。回収レール部２１と回収本体部２４とは、回収本体部２４に対する回収レール部２１の向きを遊技機が並列した方向に沿って調節する可動連結器具５０によって連結されている。【選択図】図２
2014147428.tif 000002
【特許請求の範囲】
【請求項１】
並列した複数の遊技機から排出されて搬送された遊技球が回収される回収レール部と、この回収レール部の下流側に備えられて前記遊技球が回収される回収本体部とが前記遊技機が並列した方向に連結されて構成されたホッパー装置を有する遊技球搬送装置において、
前記回収本体部に対する前記回収レール部の向きを前記遊技機が並列した方向に沿って調節する可動連結器具が、前記回収レール部と前記回収本体部との間に備えられた、
ことを特徴とする遊技球搬送装置。
【請求項２】
前記可動連結器具が、前記回収本体部の上部に取り付けられた上部支持部と前記回収レール部の上部に取り付けられた上部可動支持部とを有する上部可動連結器具、および前記回収本体部の下部に取り付けられた下部支持部と前記回収レール部の下部に取り付けられた下部可動支持部とを有する下部可動連結器具、から構成され、
前記上部可動連結器具と前記下部可動連結器具とを介して前記回収本体部に対する前記回収レール部の向きが調節される、
ことを特徴とする請求項１に記載の遊技球搬送措置。
【請求項３】
前記上部可動連結器具が略板状に形成され、前記上部可動支持部が上部ヒンジ部と、この上部ヒンジ部の周囲に形成された上部ガイド部とを有し、
前記下部可動連結器具が略Ｌ字状に形成され、前記下部可動支持部が下部ヒンジ部と、この下部ヒンジ部の周囲に形成された下部ガイド部とを有し、
前記回収レール部が、同軸上に揃えられた前記上部ヒンジ部と前記下部ヒンジ部とを軸に回転し、前記回収レール部が回転する範囲が前記上部ガイド部と前記下部ガイド部とによって規制される、
ことを特徴とする請求項２に記載の遊技球搬送装置。
【請求項４】
前記並列した複数の遊技機から構成された遊技機島が屈曲または湾曲した形状であり、前記可動連結器具を介して前記回収本体部に対する前記回収レール部の向きが調節され、前記遊技機島の形状に応じて前記ホッパー装置が屈曲または湾曲した、
ことを特徴とする請求項１から請求項３のいずれか１項に記載の遊技球搬送装置。
【請求項５】
請求項１から請求項４のいずれか１項に記載の遊技球搬送装置に用いられる、
ことを特徴とする可動連結器具。
【発明の詳細な説明】
【技術分野】
【０００１】
本発明は、遊技球搬送装置、および遊技球搬送装置に用いられる可動連結器具に関するものである。
【背景技術】
【０００２】
遊技球搬送装置は遊技機に遊技球を供給し、遊技機からアウトした遊技球を再び遊技機へ供給するものである。この遊技球搬送装置は、複数の遊技機が並列することによって構成された遊技機島に取り付けられる。
【０００３】
一般的な遊技球搬送装置として、下記特許文献１に記載の遊技媒体搬送装置がある。この遊技媒体搬送装置は、遊技機島の下部に備えられた下部タンク、上部に備えられた上部タンク、下部タンクと上部タンクとの間に備えられた揚送装置、から構成されている。遊技機をアウトした遊技球は、下部タンクを構成するメインタンクに回収され、下部タンクに連結された揚送装置に搬送される。遊技球は揚送装置によって上部タンクへ搬送され、上部タンクから各遊技機に供給される。下部タンクは、メインタンクが揚送装置に向けて下方に傾斜すると共に直線状に形成され、遊技機の並びに沿って真っ直ぐ配置されている。
【先行技術文献】
【特許文献】
【０００４】
【特許文献１】特開２００４−３０５３１７号公報
【発明の概要】
【発明が解決しようとする課題】
【０００５】
近年、遊技機の並べ方は様々であり、それに応じて屈曲し、または湾曲した多様な形状の遊技機島も存在する。しかし、上記した遊技媒体搬送装置は、下部タンクのメインタンクが直線状に形成され、遊技機の並びに沿って真っ直ぐに配置されているため、多様な形状の遊技機島に取り付けることができない。
【０００６】
本発明は、上記の実情に鑑みて提案されたものである。すなわち、多様な形状の遊技機島に対応して取り付けることができる遊技球搬送装置、および遊技球搬送装置に用いられる可動連結器具の提供を目的とする。
【課題を解決するための手段】
【０００７】
上記目的を達成するために、本発明に係る遊技球搬送装置は、並列した複数の遊技機から排出されて搬送された遊技球が回収される回収レール部と、この回収レール部の下流側に備えられて前記遊技球が回収される回収本体部とが前記遊技機が並列した方向に連結されて構成されたホッパー装置を有する遊技球搬送装置において、前記回収本体部に対する前記回収レール部の向きを前記遊技機が並列した方向に沿って調節する可動連結器具が、前記回収レール部と前記回収本体部との間に備えられた、ことを特徴としている。
【０００８】
本発明に係る遊技球搬送装置は、前記可動連結器具が、前記回収本体部の上部に取り付けられた上部支持部と前記回収レール部の上部に取り付けられた上部可動支持部とを有する上部可動連結器具、および前記回収本体部の下部に取り付けられた下部支持部と前記回収レール部の下部に取り付けられた下部可動支持部とを有する下部可動連結器具、から構成され、前記上部可動連結器具と前記下部可動連結器具とを介して前記回収本体部に対する前記回収レール部の向きが調節される、ことを特徴としている。
【０００９】
本発明に係る遊技球搬送装置は、前記上部可動連結器具が略板状に形成され、前記上部可動支持部が上部ヒンジ部と、この上部ヒンジ部の周囲に形成された上部ガイド部とを有し、前記下部可動連結器具が略Ｌ字状に形成され、前記下部可動支持部が下部ヒンジ部と、この下部ヒンジ部の周囲に形成された下部ガイド部とを有し、前記回収レール部が、同軸上に揃えられた前記上部ヒンジ部と前記下部ヒンジ部とを軸に回転し、前記回収レール部が回転する範囲が前記上部ガイド部と前記下部ガイド部とによって規制される、ことを特徴としている。
【００１０】
本発明に係る遊技球搬送装置は、前記並列した複数の遊技機から構成された遊技機島が屈曲または湾曲した形状であり、前記可動連結器具を介して前記回収本体部に対する前記回収レール部の向きが調節され、前記遊技機島の形状に応じて前記ホッパー装置が屈曲または湾曲した、ことを特徴としている。
【００１１】
本発明に係る可動連結器具は、遊技球搬送装置に用いられる、ことを特徴としている。
【発明の効果】
【００１２】
本発明に係る遊技球搬送装置は上記した構成である。この構成により、回収本体部に対する回収レール部の向きが可動連結器具を介して調節される。したがって、多様な形状の遊技機島に対応して取り付けることができる。
【００１３】
本発明に係る遊技球搬送装置は、可動連結器具が、回収本体部の上部に取り付けられた上部支持部と回収レール部の上部に取り付けられた上部可動支持部とを有する上部可動連結器具、および回収本体部の下部に取り付けられた下部支持部と回収レール部の下部に取り付けられた下部可動支持部とを有する下部可動連結器具、から構成されている。この構成により、回収レール部が上部可動連結器具と下部可動連結器具とによって、上部と下部との両方で支持される。したがって構成が堅牢である。
【００１４】
本発明に係る遊技球搬送装置は、上部可動連結器具が略板状に形成され、上部可動支持部が上部ヒンジ部と、この上部ヒンジ部の周囲に形成された上部ガイド部とを有し、下部可動連結器具が略Ｌ字状に形成され、下部可動支持部が下部ヒンジ部と、この下部ヒンジ部の周囲に形成された下部ガイド部とを有している。この構成により、回収レール部が上部可動連結器具と下部可動連結器具とを介して、同軸上に揃えられた上部ヒンジ部と下部ヒンジ部とを軸に回転され、回収レール部が回転する範囲が上部ガイド部と下部ガイド部とによって規制される。したがって、容易に回収本体部に対する回収レール部の向きを調節することができる。
【００１５】
本発明に係る遊技球搬送装置は、可動連結器具を介して回収本体部に対する回収レール部の向きが調節され、遊技機島の形状に応じてホッパー装置が屈曲または湾曲している。したがって、屈曲し、または湾曲した遊技機島に対応して取り付けることができる。
【００１６】
本発明に係る可動連結器具は遊技球搬送装置に用いられる。したがって、多様な形状の遊技機島に対応して取り付けることができる。
【図面の簡単な説明】
【００１７】
【図１】本発明の実施形態に係る遊技球搬送装置の概略を示した正面概略図である。
【図２】本発明の実施形態に係る遊技球搬送装置を構成するホッパー装置を正面から視した正面透視図である。
【図３】本発明の実施形態に係る遊技球搬送装置を構成するホッパー装置を上側から視し、回収レール部が正面側に回転した状態を示した平面透視図である。
【図４】本発明の実施形態に係る遊技球搬送装置を構成するホッパー装置を上側から視し、回収レール部が背面側に回転した状態を示した平面透視図である。
【図５】本発明の実施形態に係る遊技球搬送装置を構成するホッパー装置を側面から視した側面透視図である。
【図６】本発明の実施形態に係る可動連結器具のうち上部可動連結器具の外観を示し、（ａ）が平面図、（ｂ）が正面図、および（ｃ）が側面図である。
【図７】本発明の実施形態に係る可動連結器具のうち下部可動連結器具の外観を示し、（ａ）が平面図、（ｂ）が正面図、および（ｃ）が側面図である。
【発明を実施するための形態】
【００１８】
以下に、本発明の実施形態に係る遊技球搬送装置１０、および可動連結器具５０を図面に基づいて説明する。
【００１９】
図１において、本実施形態に係る遊技球搬送装置１０は、並列した複数の遊技機（図示せず）によって構成された遊技機島（図示せず）の内部に備えられるものである。遊技球搬送装置１０は、遊技機の下側に配置されて遊技機からアウトした遊技球（図示せず）が回収されるホッパー装置２０、ホッパー装置２０の上に取り付けられて遊技球が遊技機の上側に揚送される揚送装置３０、および揚送装置３０の上に取り付けられて、遊技機に供給される遊技球が貯蔵されるタンク装置４０、から構成されている。なお、ホッパー装置２０は両側方がほぼ同様の構成であるため、以下では一方の構成のみの説明がなされ、他方の構成の説明が省略されている。
【００２０】
図２、図３、図４および図５において、ホッパー装置２０は、遊技機からアウトして搬送レール（図示せず）を通って搬送された遊技球が回収される回収レール部２１、回収レール部２１の下流側に備えられて遊技球が回収される回収本体部２４、および回収レール部２１と回収本体部２４とを連結する可動連結器具５０、から構成されている。回収本体部２４は略箱型であり両側方が開口され、上側から揚送装置３０が貫通して取り付けられている。回収本体部２４は揚送装置３０によって遊技球が揚送されると共に研磨される際に用いられる研磨材の投入口部、遊技球の排出口部などが取り付けられている。
【００２１】
回収レール部２１は回収本体部２４の両側方に連結され、レール本体部２２、レール支持部２３から構成されている。レール支持部２３は略箱型であり、遊技球が揚送装置３０によって揚送されると共に研磨される際、遊技球から剥離された塵などが集塵される集塵機１が、集塵ホース２と共に取り付けられている。レール支持部２３の内側はレール本体部２２が配置されている。レール本体部２２は回収本体部２４に向かって下方に傾斜し、レール支持部２３に支持されていると共に、回収本体部２４に支持されている。レール本体部２２は回収本体部２４に対して回転可能である。
【００２２】
可動連結器具５０は回収レール部２１と回収本体部２４との間に取り付けられ、上部可動連結器具５１、下部可動連結器具６０、から構成されている。
【００２３】
図６において、上部可動連結器具５１は長方形の略板状に形成され、一方の長辺側が上部支持部５２であり、他方の長辺側が上部可動支持部５３である。上部支持部５２は上部支持孔５４が形成され、一方、上部可動支持部５３は上部ヒンジ部としての上部ヒンジ孔５５、上部ヒンジ孔５５の周囲に形成された上部ガイド部としての上部ガイド孔５６が形成されている。上部ガイド孔５６は上部外側ガイド孔５７と上部内側ガイド孔５８とから構成され、上部外側ガイド孔５７が、上部ヒンジ孔５５を中心とした二重の同心円のうち外側の円周上の一部に形成され、上部内側ガイド孔５８が、内側の円周上の一部に形成されている。各上部ガイド孔５７，５８はそれぞれ円周に沿って湾曲した長孔である。
【００２４】
図７において、下部可動連結器具６０は略Ｌ字状に形成され、一方の片が下部支持部６１であり、他方の片が下部可動支持部６３である。下部支持部６１は下部支持孔６２が形成され、一方、下部可動支持部６３は下部ヒンジ部としての下部ヒンジ孔６４、下部ヒンジ孔６４の周囲に形成された下部ガイド部としての下部ガイド孔６５が形成されている。下部ガイド孔６５は下部ヒンジ孔６４を中心とした円周上の一部に形成され、円周に沿って湾曲した長孔である。
【００２５】
図２、図３、図４、図６、および図７において、上部可動連結器具５１は、上部支持部５２が回収本体部２４の上部（上面）に配置されて上部支持孔５４を介してビス（図示せず）によって固定され、上部可動支持部５３が回収レール部２１のレール支持部２３の上部に配置されて上部ヒンジ孔５５を介してビスによって回収レール部２１を支持している。下部可動連結器具６０は、下部支持部６１が回収本体部２４の下部（側面）に配置されて下部支持孔６２を介してビスによって固定され、下部可動支持部６３が回収レール部２１のレール支持部２３の下部に配置されて下部ヒンジ孔６４を介してビスによって回収レール部２１を支持している。上部ガイド孔５６と下部ガイド孔６５とを介して支持された回収レール部２１は、各ガイド孔５６，６５によって規制され、長孔の範囲内で任意の位置で固定される。
【００２６】
上部可動連結器具５１の上部可動支持部５３に形成された上部ヒンジ孔５５と、下部可動連結器具６０の下部可動支持部６３に形成された下部ヒンジ孔６４とは、同軸上に揃えられている。同様に、上部可動連結器具５１の上部可動支持部５３に形成された上部内側ガイド孔５８と、下部可動連結器具６０の下部可動支持部６３に形成された下部ガイド孔６５とは、上部ヒンジ孔５５および下部ヒンジ孔６４を中心とした同一の円周上に揃えられている。
【００２７】
上記したように本発明の実施形態に係る遊技球搬送装置１０、および可動連結器具５０が構成されている。次に、本実施形態に係る遊技球搬送装置１０、および可動連結器具５０の作用を図面に基づいて説明する。
【００２８】
図３、図４、図６、および図７において、上部可動連結器具５１の上部可動支持部５３に形成された上部ガイド孔５６に挿入されたビスと、下部可動連結器具６０の下部可動支持部６３に形成された下部ガイド孔６５に挿入されたビスとが緩められると、上部ヒンジ孔５５および下部ヒンジ孔６４を軸に回収レール部２１が回収本体部２４に対して回転可能となる。回収レール部２１が回転すると共に各ガイド孔５６，６５に挿入されたビスが長穴の範囲内で移動する。回収レール部２１が回転する際、ビスが長孔の範囲内で移動するため、回収レール部２１が回転する範囲は各ガイド孔５６，６５によって規制される。回収レール部２１が任意の位置で停止されてビスが締められ固定される。なお、回収本体部２４の両側方に連結された回収レール部２１は、それぞれ同一または異なる方向に回転させ、固定されてもよい。また、回収レール部２１が回転せず直線状に配置され、固定されてもよい。
【００２９】
次に、本実施形態の効果を説明する。
【００３０】
上記したように、本実施形態に係る遊技球搬送装置１０は、ホッパー装置２０が回収レール部２１、回収本体部２４、および回収レール部２１と回収本体部２４とを連結する上部可動連結器具５１および下部可動連結器具６０から構成されている。この構成により、回収本体部２４に対する回収レール部２１の向きが各可動連結器具５１，６０を介して調節される。したがって、多様な形状の遊技機島に対応して取り付けることができる。
【００３１】
本実施形態に係る遊技球搬送装置１０によれば、上部可動連結器具５１は、上部支持部５２が回収本体部２４の上部（上面）に配置されて上部支持孔５４を介してビスによって固定され、上部可動支持部５３が回収レール部２１のレール支持部２３の上部に配置されて上部ヒンジ孔５５を介してビスによって回収レール部２１を支持している。下部可動連結器具６０は、下部支持部６１が回収本体部２４の下部（側面）に配置されて下部支持孔６２を介してビスによって固定され、下部可動支持部６３が回収レール部２１のレール支持部２３の下部に配置されて下部ヒンジ孔６４を介してビスによって回収レール部２１を支持している。
【００３２】
この構成により、回収レール部２１が各可動連結器具５１，６０によって、上部と下部との両方で支持される。したがって構成が堅牢である。
【００３３】
本実施形態に係る遊技球搬送装置１０は、上部ヒンジ孔５５と下部ヒンジ孔６４とが同軸上に揃えられ、上部内側ガイド孔５８と下部ガイド孔６５とが各ヒンジ孔５５，６４を中心とした同一の円周上に揃えられている。回収レール部２１は各ガイド孔５６，６５によって規制され、長孔の範囲内で任意の位置で固定されている。この構成により回収レール部２１は、各可動連結器具５１，６０を介して、同軸上に揃えられた各ヒンジ孔５５，６４を軸に回転させられ、回収レール部２１が回転する範囲が各ガイド孔５６，６５によって規制される。したがって、容易に回収本体部２４に対する回収レール部２１の向きを調節することができる。
【００３４】
また、この構成により回収本体部２４の両側方に連結された回収レール部２１は、それぞれ同一または異なる方向に回転させられる。したがって、屈曲し、または湾曲した遊技機島に対応して取り付けることができる。
【００３５】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３６】
１                集塵機
２                集塵ホース
１０              遊技機搬送装置
２０              ホッパー装置
２１              回収レール部
２２              レール本体部
２３              レール支持部
２４              回収本体部
３０              揚送装置
４０              タンク装置
５０              可動連結器具
５１              上部可動連結器具
５２              上部支持部
５３              上部可動支持部
５４              上部支持孔
５５              上部ヒンジ孔（上部ヒンジ部）
５６              上部ガイド孔（上部ガイド部）
５７              上部外側ガイド孔
５８              上部内側ガイド孔
６０              下部可動連結器具
６１              下部支持部
６２              下部支持孔
６３              下部可動支持部
６４              下部ヒンジ孔（下部ヒンジ部）
６５              下部ガイド孔（下部ガイド部）
【図１】
2014147428.tif 000003
【図２】
2014147428.tif 000004
【図３】
2014147428.tif 000005
【図４】
2014147428.tif 000006
【図５】
2014147428.tif 000007
【図６】
2014147428.tif 000008
【図７】
2014147428.tif 000009
【手続補正書】
【提出日】平成26年2月24日(2014.2.24)
【手続補正２】
【補正対象書類名】明細書
【補正対象項目名】０００１
【補正方法】変更
【補正の内容】
【０００１】
本発明は、遊技球搬送装置、およびホッパー装置に関するものである。
【手続補正３】
【補正対象書類名】明細書
【補正対象項目名】０００６
【補正方法】変更
【補正の内容】
【０００６】
本発明は、上記の実情に鑑みて提案されたものである。すなわち、多様な形状の遊技機島に対応して取り付けることができる遊技球搬送装置、およびホッパー装置の提供を目的とする。
【手続補正４】
【補正対象書類名】明細書
【補正対象項目名】０００７
【補正方法】変更
【補正の内容】
【０００７】
上記目的を達成するために、本発明に係る遊技球搬送装置は、並列した複数の遊技機から排出されて搬送された遊技球が回収される回収レール部と、この回収レール部の下流側に備えられて前記遊技球が回収される回収本体部とが前記遊技機が並列した方向に連結されて構成されたホッパー装置を有する遊技球搬送装置において、前記回収本体部に向かって下方に傾斜するレール本体部が前記回収レール部に備えられ、前記回収本体部に対する前記レール本体部の向きを、ほぼ水平方向に調節する可動連結器具が、前記回収レール部と前記回収本体部との間に備えられた、ことを特徴としている。
【手続補正５】
【補正対象書類名】明細書
【補正対象項目名】００１１
【補正方法】変更
【補正の内容】
【００１１】
本発明に係るホッパー装置は、並列した複数の遊技機から排出されて搬送された遊技球が回収される回収レール部と、この回収レール部の下流側に備えられて前記遊技球が回収される回収本体部とが前記遊技機が並列した方向に連結されて構成されたホッパー装置において、前記回収本体部に向かって下方に傾斜するレール本体部が前記回収レール部に備えられ、前記回収本体部に対する前記レール本体部の向きを、ほぼ水平方向に調節する可動連結器具が、前記回収レール部と前記回収本体部との間に備えられた、ことを特徴としている
【手続補正６】
【補正対象書類名】明細書
【補正対象項目名】００１２
【補正方法】変更
【補正の内容】
【００１２】
本発明に係る遊技球搬送装置およびホッパー装置は上記した構成である。この構成により、回収本体部に対する回収レール部の向きが可動連結器具を介して調節される。したがって、多様な形状の遊技機島に対応して取り付けることができる。
【手続補正７】
【補正対象書類名】明細書
【補正対象項目名】００１６
【補正方法】削除
【補正の内容】
【手続補正８】
【補正対象書類名】特許請求の範囲
【補正対象項目名】全文
【補正方法】変更
【補正の内容】
【特許請求の範囲】
【請求項１】
並列した複数の遊技機から排出されて搬送された遊技球が回収される回収レール部と、この回収レール部の下流側に備えられて前記遊技球が回収される回収本体部とが前記遊技機が並列した方向に連結されて構成されたホッパー装置を有する遊技球搬送装置において、
前記回収本体部に向かって下方に傾斜するレール本体部が前記回収レール部に備えられ、
前記回収本体部に対する前記レール本体部の向きを、ほぼ水平方向に調節する可動連結器具が、前記回収レール部と前記回収本体部との間に備えられた、
ことを特徴とする遊技球搬送装置。
【請求項２】
前記可動連結器具が、前記回収本体部の上部に取り付けられた上部支持部と前記回収レール部の上部に取り付けられた上部可動支持部とを有する上部可動連結器具、および前記回収本体部の下部に取り付けられた下部支持部と前記回収レール部の下部に取り付けられた下部可動支持部とを有する下部可動連結器具、から構成され、
前記上部可動連結器具と前記下部可動連結器具とを介して前記回収本体部に対する前記回収レール部の向きが調節される、
ことを特徴とする請求項１に記載の遊技球搬送措置。
【請求項３】
前記上部可動連結器具が略板状に形成され、前記上部可動支持部が上部ヒンジ部と、この上部ヒンジ部の周囲に形成された上部ガイド部とを有し、
前記下部可動連結器具が略Ｌ字状に形成され、前記下部可動支持部が下部ヒンジ部と、この下部ヒンジ部の周囲に形成された下部ガイド部とを有し、
前記回収レール部が、同軸上に揃えられた前記上部ヒンジ部と前記下部ヒンジ部とを軸に回転し、前記回収レール部が回転する範囲が前記上部ガイド部と前記下部ガイド部とによって規制される、
ことを特徴とする請求項２に記載の遊技球搬送装置。
【請求項４】
前記並列した複数の遊技機から構成された遊技機島が屈曲または湾曲した形状であり、前記可動連結器具を介して前記回収本体部に対する前記回収レール部の向きが調節され、前記遊技機島の形状に応じて前記ホッパー装置が屈曲または湾曲した、
ことを特徴とする請求項１から請求項３のいずれか１項に記載の遊技球搬送装置。
【請求項５】
並列した複数の遊技機から排出されて搬送された遊技球が回収される回収レール部と、この回収レール部の下流側に備えられて前記遊技球が回収される回収本体部とが前記遊技機が並列した方向に連結されて構成されたホッパー装置において、
前記回収本体部に向かって下方に傾斜するレール本体部が前記回収レール部に備えられ、
前記回収本体部に対する前記レール本体部の向きを、ほぼ水平方向に調節する可動連結器具が、前記回収レール部と前記回収本体部との間に備えられた、
ことを特徴とするホッパー装置。